(57)【特許請求の範囲】
【請求項１】
背面側又は前面側の筺体に取り付けられたアンテナ取り付けブロックに対しアンテナのアンテナ素子が嵌入された嵌合体を取り付け得るようにした移動体通信機のアンテナ取り付け部構造であって、
前記アンテナ取り付けブロックは、
前記筺体外側から内側へ向けて延びる断面が略円形の第一の中空孔と、
長軸側において前記第一の中空孔と略径が等しく且つ第一の中空孔と連通して筺体内側へ延びる断面非円形の第二の中空孔と、
前記第一の中空孔に沿い軸線方向へ延びる案内溝と、
前記第一の中空孔においてアンテナ取り付けブロックを径方向へ貫通する爪係合孔を備え、
前記嵌合体は、
該嵌合体を前記アンテナ取り付けブロックの第一、第二の中空孔に挿通させて所定角度回転させた際に、前記第二の中空孔から前記筺体内に突出して長軸側が筺体内側の端部に係止し得るようにした細長部材と、
前記アンテナ取り付けブロックの第二の中空孔に嵌入するよう前記細長部材に接続された小径部と、
前記第一の中空孔に嵌入する、前記小径部よりも径の大きい大径部と、
該大径部の外周に前記嵌合体の軸線と平行に設けられ且つアンテナ取り付けブロックに嵌入された嵌合体を周方向へ回転させる際に撓み得るようにしたばね部材と、
該ばね部材の大径部に対する接続部とは反対側に設けられ、前記嵌合体を前記第一、第二の中空孔へ挿通させる際に前記案内溝に案内されると共に、アンテナ取り付けブロックに挿通された嵌合体を周方向へ回転させた際にアンテナ取り付けブロックの前記爪係合孔に嵌合し得るようにした回転防止爪と、
前記大径部の小径部側先端に形成され、前記嵌合体を周方向へ所定の角度だけ回転させた際に端部が係止し得るようにした切除部と、
を備えたことを特徴とする移動体通信機のアンテナ取り付け部構造。
【請求項２】
アンテナ取り付けブロックに形成した爪係合孔は、筺体内に位置するようにした請求項１記載の移動体通信機のアンテナ取り付け部構造。
【請求項３】
回転防止爪は、アンテナ取り付けブロックに嵌入した嵌合体をアンテナ取り付けブロックに対し固定する際の嵌合体の回転方向に対し上流側から下流側ヘ向けて下り傾斜に形成した請求項１又は２記載の移動体通信機のアンテナ取り付け部構造。
【請求項４】
回転防止爪は、半球状に形成された請求項１又は２記載の移動体通信機のアンテナ取り付け部構造。
【請求項５】
アンテナ素子が摺動し得るようにした嵌合体の筺体外側の端部に工具装着用の溝を設けた請求項１、２、３又は４記載の移動体通信機のアンテナ取り付け部構造。
【発明の詳細な説明】
【０００１】
【発明の属する技術分野】
本発明は移動体通信機のアンテナ取り付け部構造に関するものである。
【０００２】
【従来の技術】
携帯電話等の移動体通信機においては送受信のためにアンテナを使用しており、従来の移動体通信機においては、アンテナはねじや半田を用いて筺体に固定されている。
【０００３】
図１４は、移動体通信機が携帯電話である場合の従来のアンテナの取り付け部構造を示す斜視図である。
【０００４】
図中、ａは内部にバッテリｂを収納し得るようにした、携帯電話の背面側筺体であり、該背面側筺体ａのバッテリｂ収納側とは反対側の縁板ｃには、背面側筺体ａの外側から縁板ｃを貫通して背面側筺体ａの内側へ突出し、その背面側筺体ａ内側端部がバッテリｂの一端部側へ向いたアンテナ取り付けブロックｄが一体的に固設されている。
【０００５】
アンテナ取り付けブロックｄには、該アンテナ取り付けブロックｄを背面側筺体ａの長手方向へ貫通するよう、中空孔ｅが穿設されており、中空孔ｅには、外側先端にフランジｆを備えると共に中空円筒内部に雌ねじｇが形成された、例えば銅合金製のアンテナ取り付け金具ｈが嵌合されて固定されるようになっている。
【０００６】
アンテナｉは、樹脂製で断面が円柱状の嵌合体ｊと、嵌合体ｊのアンテナ取り付けブロックｄに嵌合される基端側を除いて、嵌合体ｊの先端から基端部側の所定位置までを覆うよう外嵌されたゴム製のキャップｋと、嵌合体ｊ内に埋設された図示されていないアンテナ素子に接続されると共に、嵌合体ｊがアンテナ取り付けブロックｄに嵌合された際に嵌合体ｊの基端側から背面側筺体ａ内へ突出するよう設けられた電極ｌとを備えており、嵌合体ｊのキャップｋから突出した部分の先端外周には雄ねじｍが螺設されている。
【０００７】
而して、アンテナｉは、嵌合体ｊにおける雄ねじｍの部分がアンテナ取り付けブロックｄに嵌入、固定されたアンテナ取り付け金具ｈの雌ねじｇに螺合され、アンテナ取り付けブロックｄに固定されている。
【０００８】
【発明が解決しようとする課題】
上記した従来のアンテナの取り付け部構造においては、以下に述べる如き問題がある。
ｉ）アンテナｉをアンテナ取り付けブロックｄに螺合する際には、アンテナｉを何回も回転させる作業が必要となるため、取り付け作業に工数を要する。
ｉｉ）アンテナｉの取り付けに特殊な治工具が必要となり、又治工具を使用する場合には、治工具の回転トルクの管理が必要となるため作業が複雑となる。
ｉｉｉ）アンテナ取り付け金具ｈの雌ねじｇ及び嵌合体ｊ基端部の雄ねじｍは、切削加工等により加工するためコスト高となる。
ｉｖ）アンテナ取り付け金具ｈはアンテナ取り付けブロックｄの中空孔ｅに圧入等により嵌合されるため、これもコスト高の原因となり、又、アンテナｉに作用する力が大きいとアンテナｉはアンテナ取り付けブロックｄから脱落する虞がある。
ｖ）携帯電話の使用者がアンテナｉを簡単に取り外すことができるため、アンテナｉの紛失や破損が生じる虞がある。
【０００９】
本発明は、斯かる実情に鑑み、アンテナの取り付け部構造をシンプルにし、取り付け作業を特殊な治工具を使用することなく少ない工数で行い得るようして作業の簡略化及びコストの低減を図り、又アンテナに力が作用しても簡単には取り外すことができないようにしてアンテナの紛失や破損が生じないようにし、以上のことから移動体通信機の信頼性を向上させるようにした移動体通信機のアンテナ取り付け部構造を提供することを目的としてなしたものである。
【００１０】
【課題を解決するための手段】
請求項１の移動体通信機のアンテナ取り付け部構造は、背面側又は前面側の筺体に取り付けられたアンテナ取り付けブロックに対しアンテナのアンテナ素子が嵌入された嵌合体を取り付け得るようにした移動体通信機のアンテナ構造であって、
前記アンテナ取り付けブロックは、
前記筺体外側から内側へ向けて延びる断面が略円形の第一の中空孔と、
長軸側において前記第一の中空孔と略径が等しく且つ第一の中空孔と連通して筺体内側へ延びる断面非円形の第二の中空孔と、
前記第一の中空孔に沿い軸線方向へ延びる案内溝と、
前記第一の中空孔においてアンテナ取り付けブロックを径方向へ貫通する爪係合孔を備え、
前記嵌合体は、
該嵌合体を前記アンテナ取り付けブロックの第一、第二の中空孔に挿通させて所定角度回転させた際に、前記第二の中空孔から前記筺体内に突出して長軸側が筺体内側の端部に係止し得るようにした細長部材と、
前記アンテナ取り付けブロックの第二の中空孔に嵌入するよう前記細長部材に接続された小径部と、
前記第一の中空孔に嵌入する、前記小径部よりも径の大きい大径部と、
該大径部の外周に前記嵌合体の軸線と平行に設けられ且つアンテナ取り付けブロックに嵌入された嵌合体を周方向へ回転させる際に撓み得るようにしたばね部材と、
該ばね部材の大径部に対する接続部とは反対側に設けられ、前記嵌合体を前記第一、第二の中空孔へ挿通させる際に前記案内溝に案内されると共に、アンテナ取り付けブロックに挿通された嵌合体を周方向へ回転させた際にアンテナ取り付けブロックの前記爪係合孔に嵌合し得るようにした回転防止爪と、
前記大径部の小径部側先端に形成され、前記嵌合体を周方向へ所定の角度だけ回転させた際に端部が係止し得るようにした切除部と、
を備えたものである。
【００１１】
請求項２の移動体通信機のアンテナ取り付け部構造においては、アンテナ取り付けブロックに形成した爪係合孔は、筺体内に位置するようになっている。
【００１２】
請求項３の移動体通信機のアンテナ取り付け部構造においては、回転防止爪は、アンテナ取り付けブロックに嵌入した嵌合体をアンテナ取り付けブロックに対し固定する際の嵌合体の回転方向に対し上流側から下流側ヘ向けて下り傾斜に形成されている。
【００１３】
請求項４の移動体通信機のアンテナ取り付け部構造においては、回転防止爪は、半球状に形成されている。
【００１４】
請求項５の移動体通信機のアンテナ取り付け部構造は、アンテナ素子が摺動し得るようにした嵌合体の筺体外側の端部に工具装着用の溝を設けたものである。
【００１５】
本発明の実施の形態においては、回転防止爪を案内溝に案内させつつ、嵌合体をアンテナ取り付けブロックの第一、第二の中空孔を経て細長部材がアンテナ取り付けブロックの先端から筺体内へ突出するまで挿入し、次いで、嵌合体を周方向一側へ向けて所要の角度回転させる。
【００１６】
そうすると、回転防止爪は第一の中空孔内面を周方向へ摺動してアンテナ取り付けブロックに形成した爪係合孔に嵌入し、嵌合体における大径部の切除部周方向の端部は第二の中空孔内部に設けた突起に当接し、細長部材における長軸側の両端はアンテナ取り付けブロックの筺体内側の端部に係止する。
【００１７】
このため、アンテナはそれ以上嵌合体の周方向へは回転できず、又嵌合体の軸線方向へも移動できないため、アンテナ取り付けブロックに確りと取り付けられる。
【００１８】
従って、本発明においては、ねじや半田を使用することなく、アンテナの嵌合体を所定の角度だけ回転させるだけでアンテナをアンテナ取り付けブロックに強固に取り付けることができると共に、嵌合体やアンテナ取り付けブロックの中空孔にねじを螺設しなくて良いため、アンテナの取り付け作業に回転トルクを管理する必要のある特殊な治工具を使用しなくて良い。
【００１９】
このため、アンテナの構造がシンプルになると共にその取り付け作業の簡略化を図ることができ、その結果、コストの低減を図り得られるうえ、アンテナに力が作用しても簡単には外れることがないため、アンテナの紛失や破損が生じることがなく、従って、移動体通信機の信頼性が向上する。
【００２０】
【発明の実施の形態】
以下、本発明の実施の形態を図示例と共に説明する。
【００２１】
図１〜図９は本発明を実施する形態の一例であって、図１は移動体通信機が携帯電話である場合のアンテナの取り付け部構造を示す斜視図、図２は図１に示す背面側筺体のアンテナ取り付けブロックの部分におけるＩＩ−ＩＩ方向矢視図、図３は図２のＩＩＩ−ＩＩＩ方向矢視図である。
【００２２】
又、図４は図１に示すアンテナの拡大斜視図、図５は図４のＶ−Ｖ方向矢視図、図６は一部を破断して示す図５のＶＩ−ＶＩ方向矢視図、図７は図４のＶＩＩ−ＶＩＩ方向矢視図、図８は図４に示すアンテナの樹脂ばね部材におけるＶＩＩＩ−ＶＩＩＩ方向矢視図、図９はアンテナを背面側筺体のアンテナ取り付けブロックに取り付けた状態を示す斜視図である。
【００２３】
図中、１は内部にバッテリ２を収納し得るようにした、携帯電話の背面側筺体であり、該背面側筺体１のバッテリ２収納側とは反対側の縁板１ａには、背面側筺体１の外側から縁板１ａを貫通して背面側筺体１の内側へ突出し、その背面側筺体１内側の端部３ａがバッテリ２の一端部側へ向いたアンテナ取り付けブロック３が一体的に固設されている。
【００２４】
アンテナ取り付けブロック３には、図３に示すようにアンテナ取り付けブロック３を背面側筺体１の長手方向へ貫通するよう、背面側筺体１の外側から内側へ向けて中空孔４，５が穿設されている。
【００２５】
而して、中空孔４は断面円形状に形成されると共にアンテナ取り付けブロック３の背面側筺体１外側端部から背面側筺体１内側端部近傍まで延在している。
【００２６】
又、中空孔５は背面側筺体１の背面１ｂ幅方向の長さ（図２における長軸Ｌ１と平行な方向の長さ）が長く、深さ方向の長さ（図２における短軸Ｌ２と平行な方向の長さ）が短い長円形状に形成されると共に、背面側筺体１内側の端部３ａ近傍で中空孔４に連通し、アンテナ取り付けブロック３における背面側筺体１内側の端部３ａまで延在している。
【００２７】
背面側筺体１における中空孔５の長軸Ｌ１側の長さは中空孔４の直径と略同じであるが、中空孔５の短軸Ｌ２側の長さは中空孔５の直径よりも短く形成されている。
【００２８】
アンテナ取り付けブロック３には、中空孔４に接すると共に中空孔４側が開口ししかも背面側筺体１の背面１ｂ側に位置するようにした案内溝６が、中空孔４の軸線方向全長に亘って設けられており、アンテナ取り付けブロック３の長手方向中途部側部には、アンテナ取り付けブロック３を中空孔４側から背面側筺体１内側へ向けて貫通するよう、背面側筺体１の背面１ｂに対し略平行な方向へ向けて断面四角形状の爪係合孔７が穿設されている。
【００２９】
中空孔４内の中空孔５側端部には、背面側筺体１の背面１ｂから背面側筺体１の深さ方向へ離れて位置すると共に中空孔４の内周及び中空孔５側壁部に連なるよう、突起８が固設されている（図２、３参照）。
【００３０】
図中、９はアンテナであり、該アンテナ９は、樹脂製で且つ断面が略円柱状に形成され、しかもアンテナ取り付けブロック３の中空孔４に嵌入し得るようにした径の嵌合体１０と、嵌合体１０の基端部側は被覆されないよう、嵌合体１０の先端から基端側の所定位置までを覆うよう嵌合体１０に外嵌されたゴム製のキャップ１１と、嵌合体１０内に埋設された図示されていないアンテナ素子に接続されると共に嵌合体１０の基端部側先端から背面側筺体１内へ突出し得るよう設けられた電極１２とを備えている。
【００３１】
嵌合体１０の基端部はその軸線方向において、キャップ１１側に位置する所要長さの大径部１３と、キャップ１１から離反する先端位置において大径部１３に一体的に接続された、大径部１３よりも径の小さい小径部１４と、大径部１３から離反する先端位置において小径部１４に一体的に接続された長方形部１５とを備えている。而して、長方形部１５の長軸Ｌ３側の長さは大径部１３の直径と略同じであり、短軸Ｌ４側の長さは小径部１４の直径と略同じである（図４、５、６、７参照）。
【００３２】
嵌合体１０における大径部１３の小径部１４側先端は、円周方向へ所定の範囲（約９０度）に亘って円弧状に切除されており、この切除部には小径部１４が延在している。
【００３３】
嵌合体１０における基端部のキャップ１１が外嵌されていない大径部１３の外周１箇所には、嵌合体１０の周方向へ所定の間隔を隔てて軸線方向へ平行に延びる２本の切り込み１６が、長方形部１５の短軸Ｌ４と平行な一側側に位置するよう形成され、２本の切り込み１６の長方形部１５側先端は、嵌合体１０における大径部１３の周方向へ延びる切り込み１７により接続されている。
【００３４】
又、大径部１３の２本の切り込み１６及び切り込み１７により三方を囲まれた部分には、大径部１３の径方向内側所定位置に位置するよう、嵌合体１０の軸線方向及び周方向へ広がる切り込み１８が形成され、切り込み１８は切り込み１６及び１７に連通している。このため、嵌合体１０の外周の一部は、キャップ１１に近接した側が大径部１３に接続されて支点となり、大径部１３の径方向へ撓み得るようにした樹脂製のばね部材１９となっており、ばね部材１９は長方形部１５の短軸Ｌ４と平行な一側側に形成されている。
【００３５】
ばね部材１９の小径部１４側先端には、嵌合体１０における大径部１３の外周から径方向外方に突出すると共に大径部１３の径方向外方から見て四角形状の回転防止爪２０が固設されており、回転防止爪２０は、アンテナ９をアンテナ取り付けブロック３にセットする際の回転方向上流側から下流側へ向かって大径部１３の円周方向へ下り傾斜に形成されている。
【００３６】
又、切り込み１８の大径部１３径方向の深さ寸法は、ばね部材１９が撓んだ際に回転防止爪２０の大径部１３径方向の高さの最も高い部分が中空孔４内へ押し込まれる寸法となっている。
【００３７】
尚、図中、３ｂはアンテナ取り付けブロック３の背面側筺体１外側の端部、４ａは中空孔４における中空孔５側の端部、１１ａは大径部１３のキャップ１１で覆われていない側のキャップ１１の端部、１３ａは嵌合体１０における大径部１３の小径部１４側の端部、１３ｂは大径部１３の小径部１４側に形成した切除部の大径部１３周方向一端側の端部、１５ａは嵌合体１０における長方形部１５の小径部１４側の端部である。
【００３８】
アンテナ９をアンテナ取り付けブロック３にセットする際には、図１に示すように、電極１２がアンテナ取り付けブロック３の中空孔４へ向くよう、作業員がアンテナ９を持ち、長方形部１５の長軸Ｌ３及び短軸Ｌ４の向きを長方形状の中空孔５の長軸Ｌ１及び短軸Ｌ２の向きと一致させる。
【００３９】
そうすると、嵌合体１０のばね部材１９に設けた回転防止爪２０は、アンテナ９の嵌合体１０を中空孔４に挿入する際に案内溝６に合致し得るようになるため、アンテナ９を長方形部１５側からアンテナ取り付けブロック３の中空孔４内へ挿入して背面側筺体１内へ向けて押し込むと、回転防止爪２０は案内溝６に案内される。
【００４０】
アンテナ９の嵌合体１０を更に背面側筺体１内へ向けて押し込むと、長方形部１５は中空孔４から長方形状の中空孔５を経て背面側筺体１内に突出し、背面側筺体１内に位置する。その結果、嵌合体１０の大径部１３の先端部１３ａは、中空孔４の中空孔５側における端部４ａに当接し、キャップ１１における嵌合体１０基端部側の端部１１ａは、アンテナ取り付けブロック３の背面側筺体１外側の端部３ｂに当接して停止する。
【００４１】
又、この場合、嵌合体１０の小径部１４は中空孔５及び４に嵌入し、大径部１３は中空孔４に嵌入し、中空孔４内の突起８は大径部１３の切除部に形成された空間に囲まれた状態となる。
【００４２】
次に、アンテナ９をキャップ１１を掴んで背面側筺体１から見て反時計方向である矢印イ方向へ回すと、ばね部材１９に固設されている回転防止爪２０も嵌合体１０と共に嵌合体１０の円周方向へ回動する。このため、回転防止爪２０は回転防止爪２０の径方向の高さが低い側を先頭にして案内溝６から外れ、その結果、回転防止爪２０は中空孔４の内周面に押圧される。
【００４３】
そうすると、ばね部材１９は回転防止爪２０を介して嵌合体１０の径方向へ撓み、回転防止爪２０は中空孔４の内周面に対し摺動し得るようになる。
【００４４】
従って、嵌合体１０が所定範囲（約９０度）回動すると、回転防止爪２０はアンテナ取り付けブロック３に形成された爪係合孔７の部分に達し、ばね部材１９の弾撥力により、回転防止爪２０は爪係合孔７に嵌入し係合する。このため、アンテナ９を図１の矢印イ方向とは反対の方向へ回動させようとしても、回転防止爪２０における嵌合体１０の径方向の高さの高い部分が、爪係合孔７の縁部に当接し、その結果、アンテナ９の矢印イ方向とは反対方向への回動が防止される。
【００４５】
又、この場合、嵌合体１０の大径部１３に形成した切除部における嵌合体１０の回転方向上流側の端部１３ｂは、中空孔４内における突起８の周方向側部に当接するため、アンテナ９延いては嵌合体１０はそれ以上は図１の矢印イ方向へは回動することはない。
【００４６】
更に、長方形部１５の長軸Ｌ３は中空孔５の短軸Ｌ２と同一方向（背面側筺体１の深さ方向）になるため、アンテナ９をアンテナ取り付けブロック３の軸線方向へ引っ張っても、長方形部１５の端部１５ａがアンテナ取り付けブロック３の端部３ａに当接して係止するため、アンテナ９を軸線方向へ引っ張っても、アンテナ９がアンテナ取り付けブロック３から外れることはない。従って、アンテナ９はアンテナ取り付けブロック３に対して強固に固定される。
【００４７】
上述した図示例においては、ねじや半田を使用することなく、アンテナ９を約９０度の範囲で回転させるだけの少ない工数でアンテナ取り付けブロック３に容易且つ強固に取り付けることができると共に、嵌合体１０や中空孔５にねじを螺設する必要がなく、従って、アンテナ９の取り付け作業に回転トルクを管理するような特殊な治工具を使用する必要がない。
【００４８】
このため、アンテナ９の構造をシンプルにしてアンテナ９の取り付け作業の簡略化を図ることができ、その結果、コストの低減を図り得られるうえ、アンテナ９に力が作用しても簡単には外れることがないため、アンテナ９の紛失や破損が生じることがなく、従って、携帯電話等の移動体通信機の信頼性が向上する。
【００４９】
アンテナ９をアンテナ取り付けブロック３から取り外す場合には、図示してない前面側筺体を取り外して図１、９に示す如く背面側筺体１を開け、背面側筺体１内部に位置する回転防止爪２０をドライバ等の先端でアンテナ取り付けブロック３の中空孔４内側に押し込み、回転防止爪２０の大径部１３における径方向の高さが最も高い部分が中空孔４内へ押し込まれたら、アンテナ９を図９の矢印ロ方向へ所定の角度（約９０度）回転させる。
【００５０】
そうすると、回転防止爪２０は中空孔４に沿って形成された案内溝６の部分に位置するため、アンテナ９のキャップ１１を持って背面側筺体１から離脱する方向へ引っ張ることにより、嵌合体１０の大径部１３は中空孔４を、又、小径部１４及び長方形部１５は中空孔５，４を、更に回転防止爪２０は案内溝６を経て引き抜かれ、その結果、アンテナ９はアンテナ取り付けブロック３から容易且つ迅速に取り外される。
【００５１】
前面側筺体と背面側筺体１が一体に取り付けられている状態では、回転防止爪２０は筺体内部に収納されていて筺体外部からは取り扱えないため、この場合には携帯電話機の使用者が故意にアンテナ９を取り外すことは難しく、アンテナ９の破損や紛失を防止できる。
【００５２】
図１０及び図１１は本発明の実施の形態の他の例であって、図１０は移動体通信機が携帯電話であり、且つアンテナが伸縮式の場合のアンテナ取り付け部構造を示す斜視図、図１１は図１０に示すアンテナ部の拡大斜視図である。尚、図中、図１〜図９に示すものと同一のものには同一の符号が付してある。
【００５３】
本図示例においては、アンテナ９のアンテナ取り付けブロック３に取り付けられる嵌合体１０の部分は、キャップ１１とは分離されており、嵌合体１０の長方形部１５の背面側筺体１内側先端には中空状の電極２１が接続されている。
【００５４】
キャップ１１が外嵌された樹脂製の棒状体２２には、細長い棒状のアンテナ素子２３の背面側筺体１外側の端部が嵌入されて固定されており、アンテナ素子２３は嵌合体１０及び電極２１に対して軸線方向へ移動し得るよう挿通されている。
【００５５】
アンテナ素子２３のキャップ１１とは反対側の端部には、給電部２４が接続されており、携帯電話の使用時には、キャップ１１を引っ張ってアンテナ素子２３を筺体から引き出すことにより、給電部２４は電極２１に嵌入し得るようになっている。
【００５６】
嵌合体１０における大径部１３のキャップ１１側端部には大径部１３の径方向へ向けて工具装着用の溝２５が設けられている。このように溝２５を設けるのは、キャップ１１を手で回しても、アンテナ素子２３が嵌合体１０に対し空転し、嵌合体１０のアンテナ取り付けブロック３に対する着脱を行うことができないためである。
【００５７】
アンテナ９をアンテナ取り付けブロック３にセットする際には、図１０に示すように、アンテナ９を給電部２４側からアンテナ取り付けブロック３の中空孔４へ挿入したうえ、前述の図示例と同様、嵌合体１０における長方形部１５の長軸及び短軸の向きを長方形状の中空孔５の長軸及び短軸の向きと一致させる。
【００５８】
そうすると、嵌合体１０のばね部材１９に設けた回転防止爪２０は、アンテナ９の嵌合体１０を中空孔４に挿入する際に案内溝６（図２、３参照）に合致し得るようになるため、嵌合体１０を長方形部１５側からアンテナ取り付けブロック３の中空孔４内へ挿入して背面側筺体１内へ向けて押し込む。この際、回転防止爪２０は案内溝６に案内される。
【００５９】
アンテナ９の嵌合体１０を背面側筺体１外側から内側へ向けてアンテナ取り付けブロック３内へ嵌入し、長方形部１５が中空孔４から中空孔５を経て背面側筺体１内に突出すると、この場合も嵌合体１０の大径部１３の先端部１３ａは、中空孔４の中空孔５側における端部４ａ（図３参照）に当接する。
【００６０】
又、この場合、嵌合体１０の小径部１４は中空孔５及び４に嵌入し、大径部１３は中空孔４に嵌入し、中空孔４内の突起８は大径部１３の小径部１４側における切除部により形成された空間に位置する。
【００６１】
次に、嵌合体１０の溝２５に工具を装着し、嵌合体１０を背面側筺体１から見て反時計方向である矢印イ方向へ回すと、前述の実施の形態の場合と同様にして嵌合体１０のばね部材１９に取り付けられている回転防止爪２０はアンテナ取り付けブロック３の爪係合孔７に嵌合し、大径部１３の端部１３ｂは中空孔４内における突起８（図２、３参照）の周方向側部に当接するため、嵌合体１０はそれ以上は図１０の矢印イ方向或いはその逆方向へ回動することはない。
【００６２】
又、長方形部１５の長軸側は中空孔５の短軸と平行になり、長方形部１５の長軸側両端はアンテナ取り付けブロック３の端面３ｃに係止するため、嵌合体１０はその軸線方向へ移動することもない。
【００６３】
アンテナ９をアンテナ取り付けブロック３から外す場合には、前面側筺体を背面側筺体１から外し、回転防止爪２０を中空孔４内に押し込んだ状態で溝２５に工具を装着し、嵌合体１０を図１０の矢印イとは反対方向へ回転させ、回転防止爪２０が案内溝６の部分に位置したら前述の図示例と同様、嵌合体１０をアンテナ取り付けブロック３から引き抜く。
【００６４】
而して、本図示例においても、前述した図示例と同様な作用効果を得ることができる。
【００６５】
図１２、１３は図１０、１１のアンテナにおける大径部のばね部材に取り付ける回転防止爪を半球状にした例であって、図１２はアンテナ取り付けブロックに取り付けられる嵌合体１０の部分の斜視図、図１３は図１２のＸＩＩＩ−ＸＩＩＩ方向矢視図である。尚、図中、図１０、１１と同一のものには同一の符号が付してある。
【００６６】
本例においては、嵌合体１０におけるばね部材１９の小径部１４側先端部には、半球状の回転防止爪２６が取り付けられている。而して、斯かる構成とすると、アンテナ９をアンテナ取り付けブロック３から取り外す際に、背面側筺体１から前面側筺体を取り外さなくても、溝２５に工具を装着して嵌合体１０を回転させることができ、従って、背面側筺体１から前面側筺体を取り外すことなく嵌合体１０延いてはアンテナ９をアンテナ取り付けブロック３から引き抜き、取り外すことができる。
【００６７】
尚、本発明の移動体通信機のアンテナ取り付け部構造においては、アンテナ取り付けブロックは背面側筺体に取り付ける場合について説明したが、前面側筺体に取り付けるようにしても実施できること、アンテナ取り付けブロックの背面側筺体内側の端部に係止する部分は長方形とする場合について説明したが、楕円形としても実施可能なこと、その他、本発明の要旨を逸脱しない範囲内において種々変更を加え得ること、等は勿論である。
【００６８】
【発明の効果】
以上、説明したように本発明の移動体通信機のアンテナ取り付け部構造によれば、請求項１〜５の何れにおいても、
Ｉ）ねじや半田を使用することなく、アンテナを所定の範囲回転させるだけでアンテナ取り付けブロックに容易且つ強固に取り付けることができる、
ＩＩ）アンテナの嵌合体やアンテナ取り付けブロックの中空孔にねじを螺設する必要がなく、しかもアンテナの取り付け作業に回転トルクを管理するための特殊な治工具を使用する必要がないこのため、アンテナの構造がシンプルとなり且つアンテナの取り付け作業の簡略化を図ることができ、従って、コストの低減を図ることができる、
ＩＩＩ）アンテナに力が作用しても簡単には外れることがないため、アンテナの紛失や破損が生じることがない、
ＩＶ）アンテナの着脱を少ない工数で迅速に行うことができる、
Ｖ）以上のことから、携帯電話等の移動体通信機の信頼性が向上する、
等、種々の優れた効果を奏し得る。
【図面の簡単な説明】
【図１】移動体通信機が携帯電話である場合のアンテナの取り付け部構造を示す斜視図である。
【図２】図１に示す背面側筺体のアンテナ取り付けブロックの部分におけるＩＩ−ＩＩ方向矢視図である。
【図３】図２のＩＩＩ−ＩＩＩ方向矢視図である。
【図４】図１に示すアンテナの拡大斜視図である。
【図５】図４のＶ−Ｖ方向矢視図である。
【図６】一部を破断して示す図５のＶＩ−ＶＩ方向矢視図である。
【図７】図４のＶＩＩ−ＶＩＩ方向矢視図である。
【図８】図４に示すアンテナの樹脂ばね部材におけるＶＩＩＩ−ＶＩＩＩ方向矢視図である。
【図９】アンテナを背面側筺体のアンテナ取り付けブロックに取り付けた状態を示す斜視図である。
【図１０】本発明の実施の形態の他の例であって、移動体通信機が携帯電話であり、且つアンテナが伸縮式の場合のアンテナ取り付け部構造を示す斜視図である。
【図１１】図１０に示すアンテナ部の拡大斜視図である。
【図１２】図１０に示す実施の形態のアンテナの取り付け部構造において、大径部のばね部材に取り付ける回転防止爪を半球状にした例の斜視図である。
【図１３】図１２のＸＩＩＩ−ＸＩＩＩ方向矢視図である。
【図１４】移動体通信機が携帯電話である場合の従来のアンテナの取り付け部構造を示す斜視図である。
【符号の説明】
１  背面側筺体（筺体）
３  アンテナ取り付けブロック
４  中空孔（第一の中空孔）
５  中空孔（第二の中空孔）
６  案内溝
７  爪係合孔
８  突起
１０  嵌合体
１３  大径部
１３ｂ        端部
１４  小径部
１５  長方形部（細長部材）
１９  ばね部材
２０  回転防止爪
２３  アンテナ素子
２５  溝
２６  回転防止爪
Ｌ１  長軸
Ｌ３  長軸
【図１】
0004240687.tif 000002
【図２】
0004240687.tif 000003
【図３】
0004240687.tif 000004
【図４】
0004240687.tif 000005
【図５】
0004240687.tif 000006
【図６】
0004240687.tif 000007
【図７】
0004240687.tif 000008
【図８】
0004240687.tif 000009
【図９】
0004240687.tif 000010
【図１０】
0004240687.tif 000011
【図１１】
0004240687.tif 000012
【図１２】
0004240687.tif 000013
【図１３】
0004240687.tif 000014
【図１４】
0004240687.tif 000015